(57)【要約】      （修正有）【課題】設置スペースの幅に制限があっても製氷機ユニットの貯氷量を確保し、部品コストの削減可能な製氷機ユニットを提供する。【解決手段】製氷機ユニット１は、フレーム２の第１部分２１に配置される製氷機３と、フレーム２に対してＸ１方向へ挿入される貯氷ケース４を備える。貯氷ケース４は、フレーム２への挿入方向であるＸ１方向の端部から突出する奥側突出部４Ｂと、Ｘ２方向の端部に設けられた手前側係止部１０を備える。貯氷ケース４は、フレーム２の第２部分２３に設けられた貯氷ケース支持部２４に奥側突出部４Ｂが載り、且つ、フレーム２の第１部分２１に設けられたフレーム側係止部１１に手前側係止部１０が係止されることによって、第１方向Ｘの両端部が支持される。これにより、貯氷ケース４の幅方向の両側に支持構造を設ける必要がないので、貯氷空間４０の幅が狭くなることを回避でき、部品コストをも削減できる。【選択図】図２
2020193736.tif 000002
【特許請求の範囲】
【請求項１】
フレームと、
前記フレームの第１部分に配置される製氷機と、
前記フレームに対して第１方向の一方側へ挿入されて、前記製氷機に設けられた製氷皿の下方に少なくとも一部が配置される貯氷ケースと、
前記貯氷ケースの底部に配置されるオーガと、
前記フレームの第２部分に配置されるオーガ駆動部と、を有し、
前記貯氷ケースは、前記オーガが配置されるケース本体と、前記ケース本体の前記第１方向の一方側の端部から前記第１方向の一方側へ突出した奥側突出部と、前記ケース本体の前記第１方向の他方側の端部に設けられた手前側係止部を備え、
前記貯氷ケースは、前記第２部分に設けられた貯氷ケース支持部に前記奥側突出部が載り、且つ、前記フレームに設けられたフレーム側係止部に前記手前側係止部が支持されることを特徴とする製氷機ユニット。
【請求項２】
前記奥側突出部の内面は、前記オーガが位置する側へ向かって傾斜する傾斜面を備えることを特徴とする請求項１に記載の製氷機ユニット。
【請求項３】
前記奥側突出部は、前記貯氷ケース支持部に当接する底板と、前記底板と前記傾斜面との間に設けられた複数の肉盗み部と、隣合う肉盗み部を区画する壁部と、を備えることを特徴とする請求項２に記載の製氷機ユニット。
【請求項４】
前記手前側係止部は、前記第１方向から見て前記貯氷ケース内の貯氷空間と重なる領域に配置されることを特徴とする請求項１から３の何れか一項に記載の製氷機ユニット。
【請求項５】
前記手前側係止部は、前記ケース本体の前記第１方向の他方側の端部から前記第１方向の他方側へ突出しており、且つ、前記第１方向の一方側へ開口する凹部または貫通部を備え、
前記フレーム側係止部は、前記フレームの前記第１部分から前記第１方向の他方側へ突出する凸部であることを特徴とする請求項１から４の何れか一項に記載の製氷機ユニット。
【請求項６】
前記凸部の基端部は、前記凹部または前記貫通部の内面と平行であり、
前記凸部の先端部は、先細り形状であることを特徴とする請求項５に記載の製氷機ユニット。
【請求項７】
前記手前側係止部および前記フレーム側係止部は、前記第１方向と交差する方向に複数並んでいることを特徴とする請求項１から６の何れか一項に記載の製氷機ユニット。
【請求項８】
前記貯氷ケースは、前記第１方向と交差する方向で前記手前側係止部と並ぶケース側抜け防止部を備え、
前記フレームは、前記ケース側抜け防止部を係止するフレーム側抜け防止部を備え、
前記ケース側抜け防止部は、前記フレーム側抜け防止部に対して前記第１方向の一方側から当接する傾斜部を備えることを特徴とする請求項１から７の何れか一項に記載の製氷機ユニット。
【請求項９】
前記フレームは、前記第１部分と前記第２部分の間において前記第１方向と交差する方向で対向する一対のフレーム側板部を備え、前記一対のフレーム側板部の間に前記奥側突出部が配置され、
前記奥側突出部は、前記一対のフレーム側板部の一方と対向する第１側板、および、前
記一対のフレーム側板部の他方と対向する第２側板を備え、
前記第１側板および前記第２側板のそれぞれは、前記ケース本体から前記第１方向の一方側へ延びる平行部分と、前記平行部分の前記第１方向の一方側に設けられたテーパ部分と、を備えることを特徴とする請求項１から８の何れか一項に記載の製氷機ユニット。
【請求項１０】
前記フレームは、前記第１部分と前記第２部分の間において前記第１方向と交差する方向で対向する一対のフレーム側板部を備え、前記一対のフレーム側板部の間に前記奥側突出部が配置され、
前記奥側突出部は、前記一対のフレーム側板部のそれぞれと対向する位置に設けられた第１位置規制部を備えることを特徴とする請求項１から８の何れか一項に記載の製氷機ユニット。
【請求項１１】
前記奥側突出部は、前記一対のフレーム側板部の一方と対向する第１側板、および、前記一対のフレーム側板部の他方と対向する第２側板を備え、
前記製氷機は、前記第１方向と交差する方向で前記製氷皿と並ぶ検氷部材を備え、前記検氷部材は、前記第１方向と交差する方向で前記第１側板と並ぶ位置を含む範囲で回動し、
前記第１側板と前記検氷部材との隙間は、前記第１側板と前記一対のフレーム側板部の一方との隙間と、前記第２側板と前記一対のフレーム側板部の他方との隙間との合計寸法より大きいことを特徴とする請求項１０に記載の製氷機ユニット。
【請求項１２】
前記貯氷ケースは、前記一対のフレーム側板部と前記第１方向で対向する第２位置規制部を備えることを特徴とする請求項９から１１の何れか一項に記載の製氷機ユニット。
【請求項１３】
前記貯氷ケースの前記第１方向の他方側に設けられた砕氷部と、
前記砕氷部に砕氷させる状態と前記砕氷部に砕氷させない状態とを切り替える切替部と、を備え、
前記切替部は、前記第２部分に配置される切替駆動部と、
前記切替駆動部と前記砕氷部の間で前記第１方向に延びる伝達部材と、を備え、
前記ケース本体の底部は、前記オーガに向かって傾斜する傾斜部分を備え、
前記傾斜部分の外側に前記伝達部材が配置されることを特徴とする請求項１から１２の何れか一項に記載の製氷機ユニット。
【請求項１４】
前記傾斜部分の外面から突出するリブを備え、
前記伝達部材は、前記リブによって支持されることを特徴とする請求項１３に記載の製氷機ユニット。
【請求項１５】
前記製氷機は、前記製氷皿を回転させる製氷機駆動部を備え、前記製氷機駆動部および前記オーガ駆動部は、前記フレームにおける前記第１方向の一方側の端部に配置され、
前記奥側突出部は、前記製氷機駆動部と前記オーガ駆動部の間に配置されることを特徴とする請求項１から１４の何れか一項に記載の製氷機ユニット。
【発明の詳細な説明】
【技術分野】
【０００１】
本発明は、製氷機および貯氷ケースをフレームによって支持する製氷機ユニットに関する。
【背景技術】
【０００２】
特許文献１には、製氷機（アイスメーカー）と、製氷機で製造された氷を貯蔵する貯氷ケース（アイスコンテナー）を備えた冷蔵庫が開示される。特許文献１の製氷機は、製氷皿（アイストレー）に給水された水を凍らせ、製氷皿を回転させて離氷させた氷を貯氷ケース（アイスコンテナー）へ落下させて貯蔵する。また、特許文献１には、貯氷ケース（アイスコンテナー）に貯蔵された氷を移送する移送部（オーガ）と、氷を粉砕する砕氷部（クラッシャー）を設けることも開示される。
【先行技術文献】
【特許文献】
【０００３】
【特許文献１】特開２００４−３５４０３７号公報
【発明の概要】
【発明が解決しようとする課題】
【０００４】
冷蔵庫に製氷機、貯氷ケース、移送部（オーガ）、砕氷部（クラッシャー）などを設けるにあたって、これらをフレームに組み付けた製氷機ユニットが用いられている。この種の製氷機ユニットにおいて、貯氷ケースは、メンテナンス等のために、フレームに対して着脱可能な構造になっている。従来は、貯氷ケースの縁に幅方向の両側へ突出するレールが設けられ、貯氷ケースの幅方向の両側に、貯氷ケースのレールをスライド可能に支持する相手部材（例えば、フレームの側板部）が配置される。これにより、フレームの側板部に沿って貯氷ケースのレールをスライドさせて、貯氷ケースをフレームに着脱することができる。
【０００５】
従来の製氷機ユニットは、上記のように、貯氷ケースの幅方向の両側にレールおよびレールを支持する相手部材が設けられている。従って、製氷機ユニットの設置スペースの幅に制限がある場合には、レールおよび相手部材を設けた分、貯氷空間の幅が狭くなり、貯氷可能量が少なくなるという問題がある。また、貯氷ケースのレールを支持する相手部材（例えば、フレームの側板部）が必要であるため、フレームの構造が複雑化し、部品コストが大きいという問題がある
【０００６】
以上の問題点に鑑みて、本発明の課題は、設置スペースの幅に制限があっても貯氷量を確保できると共に、部品コストの削減が可能な製氷機ユニットを提供することにある。
【課題を解決するための手段】
【０００７】
上記課題を解決するため、本発明に係る製氷機は、フレームと、前記フレームの第１部分に配置される製氷機と、前記フレームに対して第１方向の一方側へ挿入されて、前記製氷機に設けられた製氷皿の下方に少なくとも一部が配置される貯氷ケースと、前記貯氷ケースの底部に配置されるオーガと、前記フレームの第２部分に配置されるオーガ駆動部と、を有し、前記貯氷ケースは、前記オーガが配置されるケース本体と、前記ケース本体の前記第１方向の一方側の端部から前記第１方向の一方側へ突出した奥側突出部と、前記ケース本体の前記第１方向の他方側の端部に設けられた手前側係止部を備え、前記貯氷ケースは、前記第２部分に設けられた貯氷ケース支持部に前記奥側突出部が載り、且つ、前記フレームに設けられたフレーム側係止部に前記手前側係止部が支持されることを特徴とす
る。
【０００８】
本発明では、貯氷ケースは、フレームへの挿入方向である第１方向の両端部が支持されるので、貯氷ケースの幅方向の両側に貯氷ケースの支持構造を設ける必要がない。従って、貯氷ケースの支持構造を設けることによって貯氷空間の幅が狭くなることを回避できる。よって、製氷機ユニットの設置スペースの幅に制限があっても貯氷量を確保できる。また、貯氷ケースの幅方向の両側に支持構造を設ける必要がないため、部品コストを削減できる。
【０００９】
本発明において、前記奥側突出部の内面は、前記オーガが位置する側へ向かって傾斜する傾斜面を備えることが好ましい。このようにすると、オーガによって搬送できない位置に氷が溜まることを回避できる。
【００１０】
本発明において、前記奥側突出部は、前記貯氷ケース支持部に当接する底板と、前記底板と前記傾斜面との間に設けられた複数の肉盗み部と、隣合う肉盗み部を区画する壁部と、を備えることが好ましい。このようにすると、前記底板と前記傾斜面との間に肉厚の部分ができることを回避できるので、貯氷ケースの成型不良を抑制できる。また、肉盗み部を区画する壁部を設けているので、必要な強度を確保できる。
【００１１】
本発明において、前記手前側係止部は、前記第１方向から見て前記貯氷ケース内の貯氷空間と重なる領域に配置されることが好ましい。このようにすると、手前側係止部を設けた分、貯氷空間の幅が狭くなることを回避できる。従って、製氷機ユニットの設置スペースの幅に制限があっても貯氷量を確保できる。
【００１２】
本発明において、前記手前側係止部は、前記ケース本体の前記第１方向の他方側の端部から前記第１方向の他方側へ突出しており、且つ、前記第１方向の一方側へ開口する凹部または貫通部を備え、前記フレーム側係止部は、前記フレームの前記第１部分から前記第１方向の他方側へ突出する凸部であることが好ましい。このようにすると、貯氷ケースをフレームへ挿入する動作によって、手前側係止部に設けられた凹部または貫通部にフレーム側係止部（凸部）を挿入できる。従って、貯氷ケースを容易に着脱できる。
【００１３】
本発明において、前記凸部の基端部は、前記凹部または前記貫通部の内面と平行であり、前記凸部の先端部は、先細り形状であることが好ましい。このようにすると、フレーム側係止部（凸部）を手前側係止部の凹部または貫通部へ挿入しやすい。また、フレーム側係止部（凸部）の基端部まで凹部または貫通部へ挿入した段階では、第１方向と交差する方向の位置決めを行うことができる。従って、フレームに対する貯氷ケースの位置精度を高めることができる。
【００１４】
本発明において、前記手前側係止部および前記フレーム側係止部は、前記第１方向と交差する方向に複数並んでいることが好ましい。このようにすると、フレームに対する貯氷ケースの位置精度を高めることができる。
【００１５】
本発明において、前記貯氷ケースは、前記第１方向と交差する方向で前記手前側係止部と並ぶケース側抜け防止部を備え、前記フレームは、前記ケース側抜け防止部を係止するフレーム側抜け防止部を備え、前記ケース側抜け防止部は、前記フレーム側抜け防止部に対して前記第１方向の一方側から当接する傾斜部を備えることが好ましい。このようにすると、振動や衝撃によって貯氷ケースがフレームから外れることを抑制できる。また、ケース側抜け防止部が傾斜部を備えているため、貯氷ケースを第１方向の他方側へ引っ張ることによってケース側抜け防止部がフレーム側抜け防止部を乗り越えて抜け止めが解除される。従って、貯氷ケースの着脱が容易である。
【００１６】
本発明において、前記フレームは、前記第１部分と前記第２部分の間において前記第１方向と交差する方向で対向する一対のフレーム側板部を備え、前記一対のフレーム側板部の間に前記奥側突出部が配置され、前記奥側突出部は、前記一対のフレーム側板部の一方と対向する第１側板、および、前記一対のフレーム側板部の他方と対向する第２側板を備え、前記第１側板および前記第２側板のそれぞれは、前記ケース本体から前記第１方向の一方側へ延びる平行部分と、前記平行部分の前記第１方向の一方側に設けられたテーパ部分と、を備えることが好ましい。このようにすると、奥側突出部が先細り形状になるので、一対のフレーム側板部の間へ奥側突出部を挿入しやすい。従って、貯氷ケースの装着が容易である。また、貯氷ケースをフレームの奥まで挿入した段階では、平行部分によって貯氷ケースの幅方向の位置決めを行うことができる。従って、フレームに対する貯氷ケースの位置精度を高めることができる。また、貯氷ケースの位置精度を高めることにより、貯氷ケースの手前側の端部に設けられた手前側係止部を容易にフレーム側係止部に係止することができる。
【００１７】
本発明において、前記フレームは、前記第１部分と前記第２部分の間において前記第１方向と交差する方向で対向する一対のフレーム側板部を備え、前記一対のフレーム側板部の間に前記奥側突出部が配置され、前記奥側突出部は、前記一対のフレーム側板部のそれぞれと対向する位置に設けられた第１位置規制部を備えることが好ましい。例えば、第１位置規制部は、面であってもよいし、突起であってもよい。このようにすると、貯氷ケースの位置精度を高めることができる。また、貯氷ケースの位置精度を高めることにより、貯氷ケースの手前側の端部に設けられた手前側係止部を容易にフレーム側係止部に係止することができる。
【００１８】
本発明において、前記奥側突出部は、前記一対のフレーム側板部の一方と対向する第１側板、および、前記一対のフレーム側板部の他方と対向する第２側板を備え、前記製氷機は、前記第１方向と交差する方向で前記製氷皿と並ぶ検氷部材を備え、前記検氷部材は、前記第１方向と交差する方向で前記第１側板と並ぶ位置を含む範囲で回動し、前記第１側板と前記検氷部材との隙間は、前記第１側板と前記一対のフレーム側板部の一方との隙間と、前記第２側板と前記一対のフレーム側板部の他方との隙間の合計寸法より大きいことが好ましい。このようにすると、貯氷ケースが第１位置規制部によって幅方向の両側から規制されている範囲で最大限移動したとしても、検氷部材が貯氷ケースと干渉することがない。従って、検氷部材が貯氷ケースと干渉して貯氷量を検知できなくなることを回避できる。
【００１９】
この場合に、前記貯氷ケースは、前記一対のフレーム側板部と前記第１方向で対向する第２位置規制部を備えることが好ましい。このようにすると、貯氷ケースの第１方向の位置精度を高めることができる。
【００２０】
本発明において、前記貯氷ケースの前記第１方向の他方側に設けられた砕氷部と、前記砕氷部に砕氷させる状態と前記砕氷部に砕氷させない状態とを切り替える切替部と、を備え、前記切替部は、前記第２部分に配置される切替駆動部と、前記切替駆動部と前記砕氷部の間で前記第１方向に延びる伝達部材と、を備え、前記ケース本体の底部は、前記オーガに向かって傾斜する傾斜部分を備え、前記傾斜部分の外側に前記伝達部材が配置されることが好ましい。このようにすると、貯氷ケース内の氷をオーガの側へ集めるために設けた形状（傾斜部分）を利用して伝達部材の配置スペースを確保できる。従って、外部の部材と干渉しにくい位置に伝達部材を配置できる。
【００２１】
本発明において、前記傾斜部分の外面から突出するリブを備え、前記伝達部材は、前記リブによって支持されることが好ましい。このようにすると、リブによって貯氷ケースの
強度を高めることができる。また、伝達部材の位置精度を高めることができる。
【００２２】
本発明において、前記製氷機は、前記製氷皿を回転させる製氷機駆動部を備え、前記製氷機駆動部および前記オーガ駆動部は、前記フレームにおける前記第１方向の一方側の端部に配置され、前記奥側突出部は、前記製氷機駆動部と前記オーガ駆動部の間に配置される。このようにすると、２つの駆動部に対する配線をフレームの一端に集めることができる。また、オーガ駆動部と製氷機駆動部との間のデッドスペースを利用して、貯氷ケースの支持構造を設けることができる。
【発明の効果】
【００２３】
本発明によれば、貯氷ケースは、フレームへの第１方向の一方側の端部に設けられた奥側突出部と、フレームへの第１方向の他方側の端部に設けられた手前側係止部を備えており、奥側突出部はフレームに設けられた貯氷ケース支持部に載り、手前側係止部はフレームに設けられたフレーム側係止部に支持される。従って、貯氷ケースは、フレームへの第１方向の両端部が支持されるので、貯氷ケースの幅方向の両側に貯氷ケースの支持構造を設ける必要がなく、支持構造を設けることによって貯氷空間の幅が狭くなることがない。よって、製氷機ユニットの設置スペースの幅に制限があっても貯氷量を確保できる。また、貯氷ケースの幅方向の両側に支持構造を設ける必要がないため、部品コストを削減できる。
【図面の簡単な説明】
【００２４】
【図１】本発明を適用した製氷機ユニットの斜視図である。
【図２】図１の製氷機ユニットの分解斜視図である。
【図３】図１の製氷機ユニットの断面図（図１のＡ−Ａ断面図）である。
【図４】図１の製氷機ユニットにおいて、フレームから貯氷ケースを取り外した状態を示す部分断面図である。
【図５】製氷機、氷搬送部、砕氷部、および切替部の主要部分を示す斜視図である。
【図６】貯氷ケースを第１方向の一方側から見た斜視図である。
【図７】手前側係止部およびフレーム側係止部の断面図（ＸＹ面で切断した断面図）である。
【図８】手前側係止部およびフレーム側係止部の断面図（ＸＺ面で切断した断面図）である。
【図９】ケース側抜け防止部およびフレーム側抜け防止部の断面図（ＸＺ面で切断した断面図／図３の領域Ｂの部分拡大図）である。
【図１０】貯氷ケースの位置規制構造の説明図（図３のＣ−Ｃ断面図およびその領域Ｄの部分拡大図）である。
【発明を実施するための形態】
【００２５】
以下、図面を参照して、本発明の実施形態について説明する。以下の説明では、互いに交差する３方向を第１方向Ｘ（前後方向）、第２方向Ｙ（幅方向）、および第３方向Ｚ（上下方向）として説明する。また、第１方向Ｘの一方側（奥側／後方）をＸ１方向（とし、第１方向Ｘの他方側（手前側／前方）をＸ２方向とし、第２方向Ｙの一方側をＹ１方向とし、第２方向Ｙの他方側をＹ２方向とし、第３方向Ｚ（上下方向）の一方側（上側）をＺ１方向とし、第３方向Ｚ（上下方向）の他方側（下側）をＺ２とする。
【００２６】
（全体構成）
図１は、本発明を適用した製氷機ユニット１の斜視図である。図２は、図１の製氷機ユニット１の分解斜視図であり、フレーム２から貯氷ケース４を取り外した状態を示す。図３は、図１の製氷機ユニット１の断面図（図１のＡ−Ａ断面図）である。図４は、図１の製氷機ユニット１において、フレーム２から貯氷ケース４を取り外した状態を示す部分断
面図である。図４では、貯氷ケース４の奥側の部分がフレーム２から外れる位置まで貯氷ケース４を引き出した状態を図示している。図５は、製氷機３、氷搬送部５、砕氷部６、および切替部７の主要部分を示す斜視図である。図６は、貯氷ケース４を第１方向Ｘの一方側（Ｘ１方向）から見た斜視図である。
【００２７】
製氷機ユニット１は、フレーム２と、フレーム２に配置される製氷機３と、フレーム２に対して着脱可能な貯氷ケース４と、貯氷ケース４内の氷を搬送する氷搬送部５と、貯氷ケース４から排出される氷を砕く砕氷部６と、砕氷部６に砕氷させる状態と砕氷部６に砕氷させない状態を切り替える切替部７を備える。本形態では、フレーム２および貯氷ケース４は樹脂製である。製氷機ユニット１は、例えば、冷蔵庫に搭載される。製氷機ユニット１は、冷蔵庫に設けられた冷気供給部から供給される冷気によって水を冷却し、生成した氷を砕いた状態あるいは砕かない状態で供給する。
【００２８】
図２に示すように、フレーム２は、全体として屈曲形状をしている。フレーム２は、第１方向Ｘへ延びる第１部分２１と、第１部分２１の奥側（Ｘ１方向）の端部から下方（Ｚ２方向）へ延びる一対のフレーム側板部２２と、一対のフレーム側板部２２の下方（Ｚ２方向）に位置し、一対のフレーム側板部２２を介して第１部分２１と繋がる直方体状の第２部分２３を備える。
【００２９】
図２に示すように、フレーム２の第１部分２１と第２部分２３の間には、手前側（Ｘ２方向）に開口する矩形穴２０が設けられている。矩形穴２０の幅方向（第２方向Ｙ）の両側には、一対のフレーム側板部２２が配置される。矩形穴２０の下側（Ｚ２方向）には、第２部分２３に設けられた貯氷ケース支持部２４が配置される。本形態では、貯氷ケース支持部２４は、第２部分２３の上端面である。
【００３０】
貯氷ケース４は、フレーム２に対して奥側（Ｘ１方向）へ挿入することによってフレーム２に装着され、フレーム２から手前側（Ｘ２方向）へ引き出すことによってフレーム２から取り外される。図３に示すように、フレーム２に貯氷ケース４を装着する際、矩形穴２０には、貯氷ケース４の奥側（Ｘ１方向）の端部に設けられた後述する奥側突出部４Ｂが挿入される。矩形穴２０に挿入された奥側突出部４Ｂは、貯氷ケース支持部２４によって支持される。
【００３１】
図１、図２に示すように、フレーム２の第１部分２１は、製氷機３の外周側を囲む枠状部２５と、枠状部２５から手前側（Ｘ２方向）へ延びる腕部２６を備える。図１、図５に示すように、製氷機３は、製氷皿３１と、製氷皿３１の奥側（Ｘ１方向）に配置される製氷機駆動部３２と、製氷皿３１の幅方向の一方側（Ｙ１側）に配置される検氷部材である検氷レバー３３を備える。製氷皿３１は、複数の貯水用凹部３０を備えており、第１方向Ｘに延びる軸線Ｌ１周りに回転可能に支持される。検氷レバー３３は、Ｘ１方向の端部を中心として、第２方向Ｙに延びる軸線Ｌ２（図５参照）周りに回転可能に支持される。
【００３２】
貯氷ケース４は、フレーム２の第１部分２１の下側（Ｚ２方向）に配置される。製氷皿３１は、フレーム２に装着された貯氷ケース４の上側（Ｚ１方向）に位置する。製氷機３は、図示しない給水部から製氷皿３１へ水を供給し、図示しない冷却部から供給される冷気によって貯水用凹部３０内の水を冷却して凍らせる。製氷機駆動部３２は、製氷皿３１を軸線Ｌ１周りに回転させる離氷動作を行い、貯氷ケース４に氷を落下させる。製氷皿３１が所定の回転位置まで回転すると、製氷皿３１の一部がフレーム２に当接して製氷皿３１が捩じれて氷が製氷皿３１から離れる。また、製氷機駆動部３２は、検氷レバー３３を下方（Ｚ２方向）へ回転させる検氷動作を行い、貯氷ケース４内の氷の量を検知する。
【００３３】
図５に示すように、氷搬送部５は、第１方向Ｘに延びる螺旋状のオーガ５１と、オーガ
５１の奥側（Ｘ１方向）の端部に接続されるカップリング５２と、カップリング５２を介してオーガ５１を回転させるオーガ駆動部５３を備える。カップリング５２は、オーガ５１に固定される第１カップリング部材５２１と、オーガ駆動部５３に設けられた駆動軸に固定される第２カップリング部材５２２を備える。図３に示すように、オーガ５１および第１カップリング部材５２１は、貯氷ケース４の底部に配置され、第１カップリング部材５２１は、貯氷ケース４の奥側（Ｘ１方向）の端面に設けられた開口部４４０（図６参照）に面している。
【００３４】
図３に示すように、オーガ駆動部５３はフレーム２の第２部分２３に配置される。図２に示すように、第２カップリング部材５２２は、第２部分２３から手前側（Ｘ２方向）へ突出するように取り付けられている。従って、貯氷ケース４をフレーム２に装着すると、貯氷ケース４の開口部４４０に配置される第１カップリング部材５２１に対して、第２カップリング部材５２２が相対回転不能に連結される。これにより、オーガ駆動部５３によってオーガ５１を回転させて、貯氷ケース４内の氷を手前側（Ｘ２方向）へ搬送することができる。
【００３５】
貯氷ケース４の手前側（Ｘ２方向）の端面には、砕氷部６を収容するカバー部材６０が取り付けられている。図３、図５に示すように、砕氷部６は、貯氷ケース４の手前側（Ｘ２方向）の端面に設けられた開口部４３０（図３参照）に固定されるプレート６１と、プレート６１に支持される砕氷ブレード６２を備える。砕氷が行われる状態と砕氷が行われない状態を切り替える切替部７は、プレート６１に回転可能に支持されるレバー７１と、砕氷部６からフレーム２の第２部分２３まで第１方向Ｘに延びる伝達部材７２と、第２部分２３に配置される切替駆動部７３を備える。切替部７は、伝達部材７２によってレバー７１を駆動することにより、貯氷ケース４からプレート６１の開口部６１０（図５参照）を通って排出される氷の排出経路を砕氷ブレード６２に当たる経路と砕氷ブレード６２に当たらない経路に切り替える。これにより、氷が砕氷される状態と砕氷されない状態が切り替わる。
【００３６】
本形態では、伝達部材７２はトーションバーである。伝達部材７２の奥側（Ｘ１方向）の端部は、フレーム２の第２部分２３に設けられた開口部２３０を通って第２部分２３の内側へ延びている。図５に示すように、切替駆動部７３は、伝達部材７２を回転方向に付勢するばね７３１と、伝達部材７２の奥側（Ｘ１方向）の端部に係合する駆動部材７３２と、駆動部材７３２を上下方向（第３方向Ｚ）に移動させるギアードモータ７３３を備える。ばね７３１による付勢方向に伝達部材７２が回転した状態では、レバー７１は砕氷ブレード６２に当たる経路へ氷を案内する。従って、製氷機ユニット１は、氷を砕氷して排出する。一方、駆動部材７３２によってばね７３１による付勢方向とは逆方向に伝達部材７２を回転させると、レバー７１が駆動され、氷が砕氷ブレード６２に当たらない経路を通れるようになる。従って、製氷機ユニット１は、氷を砕氷せずに排出する。
【００３７】
（貯氷ケース）
図２、図６に示すように、貯氷ケース４は上方（Ｚ１方向）に開口しており、製氷機３で製造された氷は、貯氷ケース４内に落下する。貯氷ケース４は、ケース本体４Ａと、ケース本体４Ａの奥側（Ｘ１方向）の端部から奥側（Ｘ１方向）へ突出する奥側突出部４Ｂを備える。
【００３８】
ケース本体４Ａは、貯氷ケース４の幅方向（第２方向Ｙ）で対向する一対のケース側板４１、４２と、貯氷ケース４の前後方向（第１方向Ｘ）で対向するケース前板４３およびケース後端板４４と、ケース側板４１、４２、ケース前板４３、およびケース後端板４４によって囲まれる貯氷空間４０の下側を塞ぐ底部４５を備える。上記のように、ケース前板４３には、砕氷部６のプレート６１が配置される開口部４３０が設けられ、ケース後端
板４４には、カップリング５２が配置される開口部４４０が設けられている。
【００３９】
図６に示すように、ケース本体４Ａの底部４５は、下方（Ｚ２方向）へ突出する湾曲部分４５１と、湾曲部分４５１のＹ２側に設けられた傾斜部分４５２を備える。湾曲部分４５１は、底部４５の幅方向（第２方向Ｙ）の中央よりもＹ１側に位置する。湾曲部分４５１にはオーガ５１が配置され、傾斜部分４５２はオーガ５１に向かって下降する方向に傾斜する。傾斜部分４５２の外面には、複数のリブ４５３が第１方向Ｘに一定ピッチで並んでいる。複数のリブ４５３は、傾斜部分４５２の傾斜方向に平行に延びている。各リブ４５３の先端には、伝達部材７２を配置する凹部４５４が形成されている。伝達部材７２は、ケース本体４Ａの外部に配置された部分がリブ４５３によって支持されている。
【００４０】
図２、図６に示すように、ケース本体４Ａには、ケース後端板４４の上部を切り欠いた矩形の切欠き部４４１が設けられている。奥側突出部４Ｂは、切欠き部４４１の縁から奥側（Ｘ１方向）へ突出する。奥側突出部４Ｂは、切欠き部４４１の幅方向（第２方向Ｙ）の両側の縁から奥側（Ｘ１方向）へ延びる第１側板４６１および第２側板４６２と、切欠き部４４１の下側（Ｚ２方向）の縁から奥側（Ｘ１方向）へ延びる底板４６３と、第１側板４６１および第２側板４６２の奥側（Ｘ１方向）の端部を接続する後端板４６４を備える。図３に示すように、貯氷ケース４をフレーム２に装着すると、奥側突出部４Ｂの底板４６３がフレーム２の第２部分２３に設けられた貯氷ケース支持部２４に当接する。
【００４１】
図３に示すように、奥側突出部４Ｂの内面は、オーガ５１が位置する側（すなわち、Ｘ２方向）に向かうに従って下方（Ｚ２方向）へ傾斜する傾斜面４６５を備えている。図３に示すように、貯氷ケース４をフレーム２に装着すると、傾斜面４６５の上方（Ｚ１方向）に製氷機駆動部３２および製氷皿３１の一部が配置される。従って、製氷皿３１から落下する氷１００の一部は、傾斜面４６５に落下した後に、オーガ５１の上へ滑り落ちる。
【００４２】
図６に示すように、奥側突出部４Ｂの後端板４６４の下部には、複数の肉盗み部４７が上下２列に並んでいる。各肉盗み部４７はＸ２方向に凹む凹部であり、傾斜面４６５と底板４６３との間に設けられている。また、傾斜面４６５と底板４６３との間には、隣り合う肉盗み部４７を区画する壁部４８が格子状に設けられている。
【００４３】
（貯氷ケースの支持構造）
貯氷ケース４は、フレーム２への挿入方向である第１方向Ｘの両端部がフレーム２によって支持される。上述したように、貯氷ケース４は、ケース本体４Ａから奥側（Ｘ１方向）へ突出する奥側突出部４Ｂがフレーム２に設けられた矩形穴２０へ挿入され、貯氷ケース支持部２４に奥側突出部４Ｂを載せることによってフレーム２に支持される。一方、貯氷ケース４の手前側（Ｘ２方向）の端部は、ケース本体４Ａの手前側（Ｘ２方向）の端部に設けられた手前側係止部１０がフレーム２の第１部分２１に設けられたフレーム側係止部１１に係止されることによってフレーム２に支持される。
【００４４】
本形態では、手前側係止部１０は、貯氷ケース４をフレーム２に対してＸ１方向へ挿入する動作によってフレーム側係止部１１に係止される。手前側係止部１０とフレーム側係止部１１は、第１方向Ｘに対向する。手前側係止部１０とフレーム側係止部１１の一方は、他方に向けて第１方向Ｘに突出する凸部であり、手前側係止部１０とフレーム側係止部１１の他方は、凸部が突出する方向に凹む穴（凹部または貫通部）を備えている。
【００４５】
本形態では、手前側係止部１０が手前側（Ｘ２方向）に凹む穴を備えており、フレーム側係止部１１が手前側（Ｘ２方向）へ突出する凸部である。より具体的には、図２に示すように、手前側係止部１０は、ケース前板４３の上側（Ｚ１方向）の縁から手前側（Ｘ２方向）へ突出する筒状部であり、第１方向Ｘに延在する貫通部１２を備えている。貫通部
１２は、ケース前板４３を貫通しており、ケース前板４３の内面において奥側（Ｘ１方向）に開口する。手前側係止部１０は、ケース前板４３の上側（Ｚ１方向）の縁において、貯氷ケース４の幅方向（第２方向Ｙ）に離間した２箇所に配置される。２箇所の手前側係止部１０は、いずれも、第１方向Ｘから見て貯氷ケース４内の貯氷空間４０と重なる領域に配置される。一方、フレーム側係止部１１は、第１部分２１に設けられた腕部２６のＸ２方向の先端面からＸ２方向へ突出する筒状の凸部である。フレーム側係止部１１は、手前側係止部１０と第１方向Ｘで対向する２箇所に配置される。
【００４６】
図７、図８は、手前側係止部１０がフレーム側係止部１１に係止された状態を示す断面図である。図７はＸＹ面で切断した断面図であり、図８はＸＺ面で切断した断面図である。手前側係止部１０は、貫通部１２にフレーム側係止部１１が挿入されることによってフレーム側係止部１１に係止される。図８に示すように、手前側係止部１０は、貫通部１２の内面がフレーム側係止部１１の上側（Ｚ１方向）の面に当接しており、フレーム側係止部１１によって手前側係止部１０が下側（Ｚ２方向）から支持される。従って、貯氷ケース４のＸ２方向の端部がフレーム２によって支持される。図１、図２に示すように、手前側係止部１０およびフレーム側係止部１１は、いずれも、矩形断面の筒状であるため、手前側係止部１０は、フレーム側係止部１１に面で当接して支持される。
【００４７】
図７、図８に示すように、手前側係止部１０に設けられた貫通部１２の内径は一定であり、貫通部１２の内面は第１方向Ｘに直線状に延びている。一方、フレーム側係止部１１は、第１方向Ｘと直交する方向の寸法が一定である基端部１１１と、基端部１１１のＸ２方向側に設けられた先端部１１２を備えており、先端部１１２は、手前側（Ｘ２方向）に向かうに従って第１方向Ｘと直交する方向の寸法が小さくなる先細り形状である。従って、フレーム側係止部１１は、基端部１１１が貫通部１２の内面と当接しており、基端部１１１によって手前側係止部１０を支持している。
【００４８】
（貯氷ケースの抜け防止構造）
貯氷ケース４とフレーム２は、貯氷ケース４がフレーム２から外れることを規制するための抜け止め構造を備えている。抜け止め構造は、貯氷ケース４に設けられたケース側抜け防止部１３と、フレーム２に設けられたフレーム側抜け防止部１４とを係合させる構造である。図１、図２に示すように、ケース側抜け防止部１３は、貯氷ケース４のケース前板４３の上端部に設けられた２箇所の手前側係止部１０の間に配置される。また、フレーム側抜け防止部１４は、第１部分２１の腕部２６に設けられた２箇所のフレーム側係止部１１の間に配置される
【００４９】
図９は、ケース側抜け防止部１３およびフレーム側抜け防止部１４の断面図（ＸＺ面で切断した断面図）であり、図３の領域Ｂの部分拡大図である。図２、図９に示すように、ケース側抜け防止部１３は、ケース前板４３の上端部から手前側（Ｘ２方向）へ突出する突出板１３１と、突出板１３１から下方（Ｚ２方向）へ突出する突起部１３２を備えている。フレーム側抜け防止部１４は、第１部分２１の腕部２６の先端面からＸ２方向に突出する突出板１４１と、突出板１４１を第３方向Ｚに貫通する貫通部１４２を備えている。図９に示すように、ケース側抜け防止部１３の突起部１３２が貫通部１４２に嵌まることによって、ケース側抜け防止部１３がフレーム側抜け防止部１４に係止される。この状態では、ケース側抜け防止部１３がフレーム側抜け防止部１４から外れることが規制される。
【００５０】
突起部１３２は、手前側（Ｘ２方向）へ向かうに従って下方（Ｚ２方向）への突出寸法が減少する傾斜部１３３を備えている。貯氷ケース４をフレーム２から取り外す際には、傾斜部１３３は、奥側（Ｘ１方向）から貫通部１４２の縁に当接する。このように、突起部１３２に傾斜部１３３を設けることで、貯氷ケース４をフレーム２から引き抜く際、貫
通部１４２の縁に傾斜部１３３が載り上げて突起部１３２が持ち上げられ、突起部１３２が貫通部１４２から外れる。従って、貯氷ケース４をフレーム２から取り外すことができる。
【００５１】
（貯氷ケースの位置規制構造）
図１０は、貯氷ケース４の位置規制構造の説明図であり、図１０（ａ）は、図３のＣ−Ｃ位置で切断した製氷機ユニット１の断面を下方（Ｚ２方向）から見た部分断面図である。また、図１０（ｂ）は、図１０（ａ）の領域Ｄの部分拡大図である。貯氷ケース４は、フレーム２に対する貯氷ケース４の第２方向Ｙ（第１方向Ｘと交差する方向）の位置を規制する第１位置規制部８と、フレーム２に対する貯氷ケース４の第１方向Ｘの位置を規制する第２位置規制部９を備える。
【００５２】
第１位置規制部８は、貯氷ケース４の奥側突出部４Ｂに設けられている。奥側突出部４Ｂは、上述したように、第２方向Ｙで対向する一対のフレーム側板部２２の間に配置される。一対のフレーム側板部２２は、奥側突出部４Ｂの第１側板４６１と対向する第１フレーム側板部２２１と、奥側突出部４Ｂの第２側板４６２と対向する第２フレーム側板部２２２を備える。第１フレーム側板部２２１と第２フレーム側板部２２２は、第１方向Ｘに平行に延びている。
【００５３】
第１側板４６１および第２側板４６２は、貯氷ケース４の第２方向Ｙの中央を通るＸＺ面を基準として対称な形状である。第１側板４６１は、ケース後端板４４と第１側板４６１とが繋がる位置からＸ１方向へ延びる平行部分４６６と、平行部分４６６の奥側（Ｘ１側）に設けられたテーパ部分４６７を備える。同様に、第２側板４６２は、ケース後端板４４と第２側板４６２とが繋がる位置からＸ１方向へ延びる平行部分４６６と、平行部分４６６の奥側（Ｘ１側）に設けられたテーパ部分４６７を備える。従って、奥側突出部４Ｂは、テーパ部分４６７が設けられた範囲では、奥側（Ｘ１方向）に向かうに従って第２方向Ｙの幅が小さくなる先細り形状である。
【００５４】
本形態では、第１側板４６１の平行部分４６６は、第１フレーム側板部２２１との第２方向Ｙの隙間が最も小さい部位であり、第２側板４６２の平行部分４６６は、第２フレーム側板部２２２との第２方向Ｙの隙間が最も小さい部位である。従って、本形態では、第１側板４６１の平行部分４６６、および、第２側板４６２の平行部分４６６が、それぞれ、貯氷ケース４の第２方向Ｙの位置を規制する第１位置規制部８である。貯氷ケース４は、第１側板４６１の平行部分４６６（第１位置規制部８）と第１フレーム側板部２２１との隙間がＤ１であり、第２側板４６２の平行部分４６６（第１位置規制部８）と第２フレーム側板部２２２との隙間がＤ２であるとき、その合計寸法Ｄ１＋Ｄ２の範囲内で第２方向Ｙに移動可能である。なお、Ｄ１、Ｄ２が同一（Ｄ２＝Ｄ１）であるときには、貯氷ケース４は、Ｄ１の２倍の寸法の範囲内で第２方向Ｙに移動可能である。
【００５５】
図１０（ａ）に示すように、製氷機３の検氷レバー３３は、第３方向Ｚから見た場合に、貯氷ケース４の奥側突出部４Ｂの幅方向（第２方向Ｙ）の内側に配置される。検氷レバー３３は、軸線Ｌ２周りに回転する検氷動作を行う際、貯氷ケース４内の貯氷空間４０に届く位置まで回動する。その際、検氷レバー３３は、貯氷ケース４の第１側板４６１と第２方向Ｙで並ぶ位置を含む範囲で回動する。
【００５６】
図１０（ｂ）に示すように、第１側板４６１と検氷レバー３３との第２方向Ｙの隙間Ｄ２は、第１側板４６１の平行部分４６６と検氷レバー３３とが第２方向Ｙで対向する位置において最も小さい。本形態では、第１側板４６１の平行部分４６６と検氷レバー３３との第２方向Ｙの隙間Ｄ３は、貯氷ケース４が第２方向Ｙに移動可能な寸法（すなわち、隙間Ｄ１＋Ｄ２）より大きい寸法に設定されている。従って、一対のフレーム側板部２２の
間で奥側突出部４Ｂが第２方向Ｙに最大限移動したとしても、第１側板４６１が検氷レバー３３と干渉する位置まで移動することはない。なお、Ｄ３＞Ｄ１＋Ｄ２となるように設定しておけば、Ｄ１＋Ｄ２＝０であったとしてもＤ３は０ではないので、検氷レバー３３と第１側板４６１との間に隙間を確保できる。
【００５７】
貯氷ケース４は、奥側突出部４Ｂを一対のフレーム側板部２２の間へ挿入した際、奥側突出部４Ｂの幅方向（第２方向Ｙ）の両側に設けられているケース後端板４４の部分が、それぞれ、第１フレーム側板部２２１のＸ２方向の端面、および、第２フレーム側板部２２２のＸ２方向の端面と対向する。図１０に示すように、貯氷ケース４は、ケース後端板４４が第１フレーム側板部２２１および第２フレーム側板部２２２のＸ２方向の端面と第１方向Ｘに当接する位置まで挿入されている。従って、貯氷ケース４のケース後端板４４が、フレーム２に対する貯氷ケース４の第１方向Ｘの位置を規制する第２位置規制部９として機能する。
【００５８】
（本形態の主な効果）
以上説明したように、本形態の製氷機ユニット１は、フレーム２と、フレーム２の第１部分２１に配置される製氷機３と、フレーム２に対して第１方向Ｘの一方側（Ｘ１方向）へ挿入されて、製氷機３に設けられた製氷皿３１の下方（Ｚ２方向）に少なくとも一部が配置される貯氷ケース４と、貯氷ケース４の底部に配置されるオーガ５１と、フレーム２の第２部分２３に配置されるオーガ駆動部５３と、を有する。貯氷ケース４は、オーガ５１が配置されるケース本体４Ａと、ケース本体４Ａの第１方向Ｘの一方側（Ｘ１方向）の端部から第１方向Ｘの一方側（Ｘ１方向）へ突出した奥側突出部４Ｂと、ケース本体４Ａの第１方向Ｘの他方側（Ｘ２方向）の端部に設けられた手前側係止部１０を備える。また、貯氷ケース４は、第２部分２３に設けられた貯氷ケース支持部２４に奥側突出部４Ｂが載り、且つ、フレーム２に設けられたフレーム側係止部１１に手前側係止部１０が係止されることによって、第１方向Ｘの両端がフレーム２に支持される。
【００５９】
このように、本形態では、貯氷ケース４は、フレーム２への挿入方向である第１方向Ｘの両端部が支持されるので、貯氷ケース４の幅方向（第２方向Ｙ）の両側に貯氷ケース４の支持構造を設ける必要がない。よって、貯氷ケース４の支持構造を設けることによって貯氷空間４０の幅が狭くなることを回避できる。よって、製氷機ユニット１の設置スペースの幅に制限があっても貯氷量を確保できる。また、貯氷ケース４の幅方向（第２方向Ｙ）の両側に支持構造を設ける必要がないため、部品コストを削減できる。
【００６０】
本形態では、奥側突出部４Ｂの内面に、オーガ５１が位置する側へ向かって傾斜する傾斜面４６５が設けられている。従って、オーガ５１によって搬送できない位置に氷が溜まることを回避できる。
【００６１】
本形態では、奥側突出部４Ｂは、貯氷ケース支持部２４に当接する底板４６３と傾斜面４６５との間に複数の肉盗み部４７が設けられている。また、底板４６３と傾斜面４６５との間には、隣合う肉盗み部４７を区画する壁部４８が設けられている。従って、底板４６３と傾斜面４６５との間に肉厚の部分ができることを回避できるので、貯氷ケース４の成型不良を抑制できる。また、肉盗み部４７を区画する壁部４８によって必要な強度を確保できる。
【００６２】
本形態では、手前側係止部１０は、第１方向Ｘから見て貯氷ケース４内の貯氷空間４０と重なる領域に配置される。従って、手前側係止部１０を設けた分、貯氷空間４０の幅が狭くなることを回避できる。従って、製氷機ユニット１の設置スペースの幅に制限があっても貯氷量を確保できる。
【００６３】
本形態では、手前側係止部１０は、ケース本体４Ａの第１方向Ｘの他方側（Ｘ２方向）の端部から第１方向Ｘの他方側（Ｘ２方向）へ突出しており、且つ、第１方向Ｘの一方側（Ｘ１方向）へ開口する貫通部１２を備えている。また、フレーム側係止部１１は、フレーム２の第１部分２１から第１方向Ｘの他方側（Ｘ２方向）へ突出する凸部である。このような構造を備えていれば、貯氷ケース４をフレーム２へ挿入する動作によって、手前側係止部１０に設けられた貫通部１２にフレーム側係止部１１（凸部）を挿入して係止することができる。従って、貯氷ケース４を容易に着脱できる。なお、手前側係止部１０に設けるのは貫通部１２でなく凹部であってもよい。
【００６４】
本形態では、フレーム側係止部１１（凸部）の基端部１１１は、貫通部１２の内面と平行であり、フレーム側係止部１１（凸部）の先端部１１２は先細り形状である。従って、フレーム側係止部１１（凸部）を手前側係止部１０の貫通部１２へ挿入しやすい。また、フレーム側係止部１１（凸部）の基端部１１１を貫通部１２へ挿入した段階では、第１方向Ｘと交差する第２方向Ｙで貯氷ケース４の手前側（Ｘ２方向）の端部の位置決めを行うことができる。従って、フレーム２に対する貯氷ケース４の位置精度を高めることができる。
【００６５】
本形態の手前側係止部１０およびフレーム側係止部１１は、第１方向Ｘと交差する第２方向Ｙに複数並んでいる。このように、複数の係止部を設けることにより、貯氷ケース４が傾くことを抑制できる。従って、フレーム２に対する貯氷ケース４の位置精度を高めることができる。
【００６６】
本形態の貯氷ケース４は、第１方向Ｘと交差する第２方向Ｙで手前側係止部１０と並ぶケース側抜け防止部１３を備え、フレーム２は、ケース側抜け防止部１３を係止するフレーム側抜け防止部１４を備えている。従って、振動や衝撃によって貯氷ケース４がフレーム２から外れることを抑制できる。また、ケース側抜け防止部１３に設けられた突起部１３２は、フレーム側抜け防止部１４に対して第１方向Ｘの一方側（Ｘ１方向）から当接する傾斜部１３３を備えているため、貯氷ケース４をＸ２方向に引き抜く際に突起部１３２がフレーム側抜け防止部１４を乗り越えて抜け止めが解除される。従って、貯氷ケース４の着脱が容易である。
【００６７】
本形態では、第２方向Ｙで対向する一対のフレーム側板部２２（第１フレーム側板部２２１、第２フレーム側板部２２２）の間に奥側突出部４Ｂが配置される。奥側突出部４Ｂの第１側板４６１および第２側板４６２のそれぞれは、ケース後端板４４から第１方向Ｘの一方側（Ｘ１方向）へ延びる平行部分４６６と、平行部分４６６の第１方向Ｘの一方側（Ｘ１方向）に設けられたテーパ部分４６７を備えている。従って、奥側突出部４Ｂは先細り形状になっているので、一対のフレーム側板部２２の間へ奥側突出部４Ｂを挿入しやすい。また、貯氷ケース４をフレーム２の奥まで挿入した段階では、第１側板４６１の平行部分４６６が第１フレーム側板部２２１と対向し、第２側板４６２の平行部分４６６が第２フレーム側板部２２２と対向して、貯氷ケース４の第２方向Ｙの位置決めを行う第１位置規制部８として機能する。従って、フレーム２に対する貯氷ケース４の位置精度を高めることができる。よって、貯氷ケース４の手前側（Ｘ２方向）の端部に設けられた手前側係止部１０を容易にフレーム側係止部１１に係止することができる。
【００６８】
なお、本形態では、第１位置規制部８は平行部分４６６であり、面と面を当接させて位置決めを行うが、第１位置規制部８として突起を設けることもできる。この場合には、貯氷ケース４と一対のフレーム側板部２２とを点接触させて位置決めを行う。
【００６９】
本形態の製氷機３は、第１方向Ｘと交差する第２方向Ｙで製氷皿３１と並ぶ検氷レバー３３を備えており、検氷レバー３３は、貯氷ケース４の第１側板４６１と第２方向Ｙで並
ぶ位置を含む範囲で回動する。このような構成において、本形態では、第１側板４６１の平行部分４６６と検氷レバー３３との隙間Ｄ３が、第１側板４６１の平行部分４６６と第１フレーム側板部２２１との隙間Ｄ１と、第２側板４６２の平行部分４６６と第２フレーム側板部２２２との隙間Ｄ２との合計寸法Ｄ１＋Ｄ２より大きい寸法に設定されているので、貯氷ケース４が幅方向（第２方向Ｙ）に最大限移動したとしても、検氷レバー３３が第１側板４６１と干渉することはない。従って、検氷レバー３３が貯氷ケース４と干渉して貯氷量を検知できなくなることを回避できる。
【００７０】
また、貯氷ケース４は、ケース後端板４４が一対のフレーム側板部２２と第１方向Ｘで対向するので、ケース後端板４４は、貯氷ケース４の第１方向Ｘの位置決めを行う第２位置規制部９として機能する。従って、貯氷ケース４の第１方向Ｘの位置精度を高めることができる。
【００７１】
本形態の製氷機ユニット１は、貯氷ケース４の第１方向Ｘの他方側（Ｘ２方向）に設けられた砕氷部６に砕氷させる状態と砕氷部６に砕氷させない状態を切り替える切替部７を備えており、この切替部７は、貯氷ケース４のＸ１側に配置される第２部分２３から、貯氷ケース４のＸ２側に配置される砕氷部６まで第１方向Ｘに延びる伝達部材７２を備えている。一方、貯氷ケース４におけるケース本体４Ａの底部は、オーガ５１に向かって第１方向Ｘと交差する第２方向Ｙへ傾斜する傾斜部分４５２を備えており、傾斜部分４５２の外側に伝達部材７２が配置される。従って、貯氷ケース４内の氷をオーガ５１の側へ集めるために設けた形状を利用して伝達部材７２の配置スペースを確保でき、外部の部材と干渉しにくい位置に伝達部材７２を配置できる。
【００７２】
本形態の貯氷ケース４は、傾斜部分４５２の外面から突出するリブ４５３を備えているので、貯氷ケース４の強度が高い。また、伝達部材７２をリブ４５３によって支持しているので、伝達部材７２の位置精度を高めることができる。
【００７３】
本形態の製氷機３は、製氷皿３１を回転させる製氷機駆動部３２を備え、製氷機駆動部３２およびオーガ駆動部５３は、フレーム２における第１方向Ｘの一方側（Ｘ１方向）の端部に配置される。そして、奥側突出部４Ｂは、製氷機駆動部３２とオーガ駆動部５３の間に配置される。このようにすると、２つの駆動部に対する配線をフレーム２の一端に集めることができる。また、オーガ駆動部５３と製氷機駆動部３２との間のデッドスペースを利用して、貯氷ケース４の支持構造を設けることができる。
【符号の説明】
【００７４】
１…製氷機ユニット、２…フレーム、３…製氷機、４…貯氷ケース、４Ａ…ケース本体、４Ｂ…奥側突出部、５…氷搬送部、６…砕氷部、７…切替部、８…第１位置規制部、９…第２位置規制部、１０…手前側係止部、１１…フレーム側係止部、１２…貫通部、１３…ケース側抜け防止部、１４…フレーム側抜け防止部、２０…矩形穴、２１…第１部分、２２…一対のフレーム側板部、２３…第２部分、２４…貯氷ケース支持部、２５…枠状部、２６…腕部、３０…貯水用凹部、３１…製氷皿、３２…製氷機駆動部、３３…検氷レバー、４０…貯氷空間、４１、４２…ケース側板、４３…ケース前板、４４…ケース後端板、４５…底部、４７…肉盗み部、４８…壁部、５１…オーガ、５２…カップリング、５３…オーガ駆動部、６０…カバー部材、６１…プレート、６２…砕氷ブレード、７１…レバー、７２…伝達部材、７３…切替駆動部、１００…氷、１１１…基端部、１１２…先端部、１３１…突出板、１３２…突起部、１３３…傾斜部、１４１…突出板、１４２…貫通部、２２１…第１フレーム側板部、２２２…第２フレーム側板部、２３０…開口部、４３０…開口部、４４０…開口部、４４１…切欠き部、４５１…湾曲部分、４５２…傾斜部分、４５３…リブ、４５４…凹部、４６１…第１側板、４６２…第２側板、４６３…底板、４６４…後端板、４６５…傾斜面、４６６…平行部分、４６７…テーパ部分、５２１…第１カ
ップリング部材、５２２…第２カップリング部材、６１０…開口部、７３１…ばね、７３２…駆動部材、７３３…ギアードモータ、Ｄ１、Ｄ２…隙間、Ｌ１、Ｌ２…軸線、Ｘ…第１方向、Ｙ…第２方向、Ｚ…第３方向
【図１】
2020193736.tif 000003
【図２】
2020193736.tif 000004
【図３】
2020193736.tif 000005
【図４】
2020193736.tif 000006
【図５】
2020193736.tif 000007
【図６】
2020193736.tif 000008
【図７】
2020193736.tif 000009
【図８】
2020193736.tif 000010
【図９】
2020193736.tif 000011
【図１０】
2020193736.tif 000012